(57)【要約】【課題】アンテナ素子単体で電磁的干渉耐性とアンテナの小型化とアンテナの高利率化を並立させる設計調整と作製後の補修作業を容易とすることができる技術を提供すること。【解決手段】メタマテリアルアンテナ１は、アンテナ放射部２０を左手系伝送線路とするキャパシタＣＬＣ及びインダクタＬＬＣを有し、妨害波に対して除去帯域を有するように設定されたＬＣネットワーク部３０を有する。アンテナ放射部２０は、誘電体基板１０の第１の面に、所定の間隔ｄを有するように分割して形成された第１及び第２の放射器線路２１を有し、誘電体基板１０の裏面には、第１及び第２の放射器線路２１と平面的に見て重なるＭＩＭキャパシタ面範囲３０ｂを有するようにキャパシタ線路３０ａが形成されている。放射器線路２１とこのＭＩＭキャパシタ面範囲３０ｂとによってＭＩＭ構造のキャパシタＣＬＣを構成する。【選択図】図１
2020202433.tif 000002
【特許請求の範囲】
【請求項１】
アンテナ放射部と、
前記アンテナ放射部を左手系伝送線路とするキャパシタ及びインダクタを有し、妨害波に対して除去帯域を有するように設定されたＬＣネットワーク部と
を具備するメタマテリアルアンテナ。
【請求項２】
誘電体基板を有し、
前記アンテナ放射部は、前記誘電体基板の第１の面に、所定の間隔を有するように分割して形成された第１及び第２の放射器線路を有し、
前記キャパシタは、前記誘電体基板の第２の面側に、前記第１及び第２の放射器線路と重なる第１の領域を有するように配置された第１のキャパシタ線路を有する
請求項１に記載のメタマテリアルアンテナ。
【請求項３】
前記ＬＣネットワーク部は、前記妨害波に対して除去帯域を有するように前記第１の領域の面積を調整してなる面積調整部を有する
請求項２に記載のメタマテリアルアンテナ。
【請求項４】
前記誘電体基板の第２の面側に、前記アンテナ放射部とは重ならないように配置された接地導体と、
前記アンテナ放射部の両端部と前記接地導体との間でキャパシタンスを持たせる第２のキャパシタ線路と
を有する請求項２又は３に記載のメタマテリアルアンテナ。
【請求項５】
誘電体基板と、
前記誘電体基板の第１の面に、所定の間隔を有するように分割して形成された第１及び第２の放射器線路を有するアンテナ放射部と、
前記誘電体基板の第２の面側に、前記第１及び第２の放射器線路と重なる第１の領域を有するように配置された第１のキャパシタ線路と
を具備するメタマテリアルアンテナ。
【請求項６】
誘電体基板と、
前記誘電体基板の第１の面に形成されたアンテナ放射部と、
前記誘電体基板の第２の面側に、前記アンテナ放射部とは重ならないように配置された接地導体と、
前記アンテナ放射部の両端部と前記接地導体との間でキャパシタンスを持たせる第２のキャパシタ線路と
を具備するメタマテリアルアンテナ。
【発明の詳細な説明】
【技術分野】
【０００１】
本発明は、例えば衛星に搭載されるメタマテリアルアンテナに関する。
【背景技術】
【０００２】
本出願人は、先進レーダ衛星（ALOS-4）に、Ｌ帯合成開口レーダ「PALSAR-3」と、高性能型衛星搭載ＡＩＳである「SPAISE3」とを搭載し、これらを協調観測することで海洋監視をするシステムを開発している（非特許文献１参照）。
【０００３】
衛星に数種類のミッションアンテナを搭載し、それぞれ性能確保に必要なアンテナ開口長を確保する場合、従来は各アンテナで専用の展開構造を有し、電磁的干渉や熱干渉など影響ない範囲でシステム設計が行われている。設計費用を抑え実績を活用するためにも各アンテナ素子はなるべくシンプルにする傾向があり、その場合にアンテナ後段の受信回路などへのフィルタ構成で対応し、異なる用途のアンテナ同士は十分な距離を確保して搭載される。このため、衛星システム全体での潜在的能力は最大限に発揮されていない場合が多い。例えば、このような衛星システムでは、Ｌ帯ＳＡＲアンテナパネルと「SPAISE3」展開アンテナがそれぞれ専用展開構造を有し、アンテナ開口長をなるべく確保したい場合にアンテナ展開範囲がそれぞれ限定的となっている。
【先行技術文献】
【非特許文献】
【０００４】
【非特許文献１】http://www.jaxa.jp/projects/sat/alos4/index_j.html
【発明の概要】
【発明が解決しようとする課題】
【０００５】
これらの課題の背景に、アンテナ素子単体としては電磁的干渉耐性とアンテナの小型化とアンテナの高利率化の並立が求められている。すなわち、半波長以下の素子サイズで受信周波数において十分なアンテナ効率を確保し、干渉周波数へは例えば２０ｄＢ近い抑制能力がアンテナ素子単体で得られることが望ましい。
【０００６】
以上のような事情に鑑み、本発明の目的は、アンテナ素子単体で電磁的干渉耐性の確保とアンテナの小型化とアンテナ効率の確保を並立させるための設計調整と作製後の補修作業を容易にすることができる技術を提供することにある。
【課題を解決するための手段】
【０００７】
上記目的を達成するため、本発明では、メタマテリアルアンテナを採用し、そのメタマテリアルアンテナが、アンテナ放射部と、前記アンテナ放射部を左手系伝送線路とするキャパシタ及びインダクタを有し、妨害波に対して除去帯域を有するように設定されたＬＣネットワーク部とを具備するものである。
【０００８】
本発明では、メタマテリアルアンテナにおける多様な周波特性を応用し、アンテナ放射部を左手系伝送線路とするキャパシタ及びインダクタを有するＬＣネットワーク部によって妨害波に対して除去帯域を有するように設定することで、アンテナ素子単体での電磁的干渉耐性の確保、アンテナの小型化、アンテナ効率の確保を並立させる設計調整と作製後の補修作業を容易とすることができる。除去帯域の設計においては、例えばバンドギャップ形成やカットオフ周波数の設置によるものである。
【０００９】
本発明に係るメタマテリアルアンテナは、誘電体基板を有し、前記アンテナ放射部は、前記誘電体基板の第１の面に、所定の間隔を有するように分割して形成された第１及び第２の放射器線路を有し、前記キャパシタは、前記誘電体基板の第２の面側に、前記第１及び第２の放射器線路と重なる第１の領域を有するように配置された第１のキャパシタ線路を有する。例えば、前記ＬＣネットワーク部は、前記妨害波に対して除去帯域を有するように前記第１の領域の面積を調整してなる面積調整部を有する。
【００１０】
アンテナ素子単体で電磁的干渉耐性とアンテナの小型化とアンテナの高利率化を並立させることを、設計や試作段階で実現しようとするには作業負荷が大きく、しかも現状では各アンテナでの開発コストが展開構造物に殆ど費やされている。本発明では、複雑な構造となるメタマテリアルアンテナにあって、妨害波に対して除去帯域を有するように調整することを容易となり、例えば高度な設計・試作作業を柔軟かつ容易に行うことができる。
【００１１】
本発明では、前記誘電体基板の第２の面側に、前記アンテナ放射部とは重ならないように配置された接地導体と、前記アンテナ放射部の両端部と前記接地導体との間でキャパシタンスを持たせる第２のキャパシタ線路とを有する。これにより、インピーダンス特性の調整が容易になり、放射パターンの変更も可能となる。
【００１２】
本発明のメタマテリアルアンテナは、誘電体基板と、前記誘電体基板の第１の面に、所定の間隔を有するように分割して形成された第１及び第２の放射器線路を有するアンテナ放射部と、前記誘電体基板の第２の面側に、前記第１及び第２の放射器線路と重なる第１の領域を有するように配置された第１のキャパシタ線路とを具備する。これにより、ＬＣネットワークの調整が容易となり、アンテナ素子単体での電磁的干渉耐性の確保、アンテナの小型化、アンテナ効率の確保を並立させる設計調整と作製後の補修作業を容易とすることができる。
【００１３】
本発明のメタマテリアルアンテナは、誘電体基板と、前記誘電体基板の第１の面に形成されたアンテナ放射部と、前記誘電体基板の第２の面側に、前記アンテナ放射部とは重ならないように配置された接地導体と、前記アンテナ放射部の両端部と前記接地導体との間でキャパシタンスを持たせる第２のキャパシタ線路とを具備する。これにより、ＬＣネットワークの設計自由度を向上し、アンテナ放射端によるインピーダンス特性の調整を可能とすることができる。
【発明の効果】
【００１４】
本発明によれば、アンテナ素子単体で電磁的干渉耐性の確保とアンテナの小型化とアンテナ効率の確保を並立させる設計調整と作製後の補修作業において、さらに自由度を付加し、アンテナの放射パターンの変更も可能にすることができる。
【図面の簡単な説明】
【００１５】
【図１】本発明の一実施形態に係るメタマテリアルアンテナの構成を示す分解斜視図である。
【図２】図１に示したメタマテリアルアンテナの上面から見た平面図である。
【図３】図１及び図２に示したメタマテリアルアンテナの回路構成図である。
【図４】図１〜図３に示したメタマテリアルアンテナの通過帯域と除去帯域の例を示す給電点におけるアンテナ反射特性である。
【図５】本発明の他の実施形態に係るメタマテリアルアンテナの構成を示す分解斜視図である。
【図６】図５に示したメタマテリアルアンテナの上面からみた平面図である。
【図７】図５及び図６に示したメタマテリアルアンテナの回路構成図である。
【発明を実施するための形態】
【００１６】
以下、図面を参照しながら、本発明の実施形態を説明する。
【００１７】
図１は、本発明の一実施形態に係るメタマテリアルアンテナの構成を示す斜視図である。図２は図１に示したメタマテリアルアンテナの上面から見た平面図である。図３は図１及び図２に示したメタマテリアルアンテナの回路構成図である。
【００１８】
メタマテリアルアンテナ１は、誘電体基板１０、アンテナ放射部２０と、ＬＣネットワーク部３０と、接地導体４０とを有する。なお、図１において、誘電体基板１０の裏面に配置されたＬＣネットワーク部３０を構成するキャパシタ線路３０ａとインダクタ線路３２、及び接地導体４０は誘電体基板１０から分解して示している。
【００１９】
アンテナ放射部２０は、誘電体基板１０の表面に、所定の間隔ｄを有するように分割して形成された放射器線路２１を有する。この実施形態に係るメタマテリアルアンテナ１では、６つに分割された放射器線路２１を有し、中央の放射器線路２１の間に給電点１１が設けられている。
【００２０】
誘電体基板１０の裏面には、放射器線路２１と平面的に見て重なる第１の領域としてのＭＩＭキャパシタ面範囲３０ｂを有するようにキャパシタ線路３０ａが形成されている。放射器線路２１とこのＭＩＭキャパシタ面範囲３０ｂとによってＭＩＭ構造のキャパシタＣＬＣを構成する。なお、図２において、点線で示した部位は誘電体基板１０の裏面に配置されていることを示している。  
【００２１】
ＬＣネットワーク部３０は、キャパシタ線路３０ａと、インダクタ線路３２とを有し、これによりアンテナ放射部２０を左手系伝送線路とするキャパシタＣＬＣ及びインダクタＬＬＣを構成し、妨害波に対して除去帯域を有するようにキャパシタＣＬＣ及びインダクタＬＬＣの値が設定されている。
【００２２】
本実施形態では、放射器線路２１における面積を調整することでＭＩＭキャパシタ面範囲３０ｂを調整してなる面積調整部３１を有する。面積調整部３１は、典型的には、設計時にＭＩＭキャパシタ面範囲３０ｂに対応する放射器線路２１の面積を調整して構成され、更に、例えば試作後に、誘電体基板１０の表面に形成されて露出している放射器線路２１の所定部分、例えば端部を除去することで、或いは場合によっては線路に相当する導体を追加することで面積を調整して構成される。  
キャパシタ線路３０ａの所定部分を除去することで、或いは場合によっては追加することで、ＭＩＭキャパシタ面範囲３０ｂの面積を調整してもよい。  
インダクタＬＬＣを、妨害波に対して除去帯域を有するよう調整してもよいが、キャパシタＣＬＣを調整する方がインダクタＬＬＣを調整する場合と比べると、試作後の調整の工作が容易である。キャパシタＣＬＣを調整するための放射器線路２１は、誘電体基板１０の表面に露出しており、しかも典型的には放射器線路２１の端部を除去するだけでキャパシタＣＬＣの調整が可能だからである。
【００２３】
インダクタＬＬＣは、誘電体基板１０の裏面に形成され、キャパシタ線路３０ａと接地導体４０との間に挿入されたインダクタ線路３２を有する。インダクタ線路３２は、典型的には、所定のインダクタタンスを有するように連続して折り返すように構成される。
【００２４】
接地導体４０は、例えば、誘電体基板１０の裏面に、平面的に見てアンテナ放射部２０とは重ならないように形成される。
【００２５】
このように構成されたメタマテリアルアンテナ１では、ＬＣネットワーク部３０のキャパシタＣＬＣを構成するＭＩＭキャパシタ面範囲３０ｂを調整することで、任意の周波数に任意の位相特性を与えることが可能である。例えば、衛星にＬ帯ＳＡＲアンテナとＡＩＳ受信アンテナとを搭載する場合に、ＡＩＳ受信アンテナを本実施形態に係るメタマテリアルアンテナ１を用い、図４に示すように、通過帯域がＡＩＳ周波数となり、除去帯域が干渉周波数であるＬ帯ＳＡＲとなるように設計し、試作時等には面積調整部３１を調整する。これにより、アンテナ素子単体で電磁的干渉耐性の確保とアンテナの小型化とアンテナ効率の確保を並立する設計調整と試作後補修を容易にすることができる。
【００２６】
図４において、横軸は周波数、縦軸は給電部における反射特性を表す。実線で示す「ｗｉｔｈ  ＣＲＬＨ」は、ＬＣネットワーク部を付加した場合の反射特性を示し、点線で示す「ｗ／ｏ  ＣＲＬＨ」は、図１におけるｄを設けないアンテナ放射部２０のみ場合のアンテナ特性を示す。Ｎ、Ｎ０は各共振次数を示している。
【００２７】
ＣＲＬＨより負の共振点を持つことでアンテナの小型化が可能となる。
【００２８】
なお、ＡＩＳ周波数を左手系通過帯域および右手系通過帯域とすることができ、除去帯域はバンドギャップやカットオフで設計することができ、本発明はこのような組み合わせを排除するものではない。
【００２９】
本実施形態に係るメタマテリアルアンテナ１では、特に、分割して形成された放射器線路２１と、キャパシタ線路３０ａとによるＭＩＭキャパシタ面範囲３０ｂによりＭＩＭ構造のキャパシタＣＬＣを構成することで、面積調整部３１を使って、設計時ならびに試作後の再加工で、左手系キャパシタンス容量を大容量に確保ならびに容易に変更可能とし、漏れ波アンテナとして応用する場合に各容量チャープ（振幅特性最適化のために徐々に寸法を変えていく方式）も自在にすることができる。
【００３０】
また、これにより、本実施形態に係るメタマテリアルアンテナ１では、目的の周波数が推測されやすいアンテナ寸法や構造が迷彩化できる。例えば、表面のみ見た場合は所望周波数より数倍の高周波における無給電一次元線状アレイアンテナのように誤認識させることができる。また、誘電体基板１０の裏面のＬＣネットワークによっては複数のターゲット周波数を調整でき、容易にアンテナ用途を推定できなくすることができる。
【００３１】
また本実施形態に係るメタマテリアルアンテナ１では、裏面にあるＬＣネットワークパターンが太陽光等から遮蔽されるため温度上昇等の環境による特性劣化や変動を抑制できると共に、温度変化によるストレスを軽減し信頼性を向上することができる。
【００３２】
また、本実施形態に係るメタマテリアルアンテナ１では、ＭＩＭキャパシタを用いることで大容量のコンダクタンスを付加しつつスルーホール等なしで構成することができる。
【００３３】
図５は、本発明の他の実施形態に係るメタマテリアルアンテナの構成を示す分解斜視図、図６は図５に示したメタマテリアルアンテナの上面からみた平面図である。図７は図５及び図６に示したメタマテリアルアンテナの回路構成図である。
【００３４】
この実施形態に係るメタマテリアルアンテナ１'は、アンテナ放射部２０の両端部と接地導体４０との間でキャパシタンスを持たせるキャパシタ線路２１ｅを有する点が最初に示した実施形態に係るメタマテリアルアンテナ１とは異なる。図５及び図６に示したキャパシタ線路２１ｅは、アンテナ放射部２０の両端の放射器線路２１の端部から延在し、延在したキャパシタ線路２１ｅが接地導体４０と平面的に見て重なることでＭＩＭ構造のキャパシタＣｅを構成する。このキャパシタＣｅを調整することで、ＬＣネットワーク部３０と同様に任意の周波数に任意の位相特性を与えることが可能であり、加えてインピーダンス特性の調整が容易になり、放射パターンの変更も可能となる。
【００３５】
キャパシタ線路２１ｅは、図５及び図６に示した構成に限らず、例えば接地導体４０から線路（キャパシタ線路）を延在させ、その延在させた線路がキャパシタ線路２１ｅと平面的に見て重なることでＭＩＭ構造のキャパシタＣｅを構成してもよい。
【００３６】
アンテナ放射部２０の両端の放射器線路２１の端部から線路を延在させることなく、接地導体４０から線路（キャパシタ線路）を延在させ、その延在させた線路がアンテナ放射部２０の両端の放射器線路２１の端部と平面的に見て重なることでＭＩＭ構造のキャパシタＣｅを構成してもよい。
【００３７】
本発明は上記の実施形態に限定されず、本発明の技術思想の範囲で様々な変形や応用が可能である。  
例えば、上記の実施形態では、放射器線路２１は６つに分割されていたが、分割数はそれ以下でもそれ以上でも構わない。  
上記の実施形態では、左手系のキャパシタやインダクタを有する構成を示したが、右手系がキャパシタやインダクタが混在していてもよい。  
上記の実施形態では、衛星にＬ帯ＳＡＲアンテナとＡＩＳ受信アンテナを搭載したシステムに本発明に係るメタマテリアルアンテナを採用した例を説明したが、他のシステムにも本発明に係るメタマテリアルアンテナを採用することは可能である。  
上記の実施形態では、ＡＩＳを通過帯域とし、Ｌ帯ＳＡＲを除去帯域とした例を説明したが、本発明に係るメタマテリアルアンテナでは、通過帯域や除去帯域を２つ以上有するように調整してもよい。  
本発明に係るメタマテリアルアンテナでは、アンテナ放射部の両端部と接地導体とを例えばスルーホールを介して導通し、いずれかの箇所での溝によりキャパシタンスを構成してもよい。
【符号の説明】
【００３８】
１、１'    ：メタマテリアルアンテナ
１０    ：誘電体基板
２０    ：アンテナ放射部
２１    ：放射器線路
２１ｅ  ：キャパシタ線路
３０    ：ＬＣネットワーク部
３０ａ  ：キャパシタ線路
３０ｂ  ：ＭＩＭキャパシタ面範囲
３１    ：面積調整部
３２    ：インダクタ線路
４０    ：接地導体
【図１】
2020202433.tif 000003
【図２】
2020202433.tif 000004
【図３】
2020202433.tif 000005
【図４】
2020202433.tif 000006
【図５】
2020202433.tif 000007
【図６】
2020202433.tif 000008
【図７】
2020202433.tif 000009